(57)【要約】【課題】光学変換素子および光変調装置両者を効率的に冷却することのできる光学装置を提供することにある。【解決手段】本発明の光学装置４４は、複数の液晶パネル４４１と、各液晶パネル４４１と対向する複数の光束入射端面を有し、各液晶パネル４４１で変調された各色光を合成するクロスダイクロイックプリズム４４３と、この複数の光束入射端面と交差する一対の端面に固定され、熱伝導性材料から構成される台座４４５と、液晶パネル４４１および光束入射端面の間に介在配置されるとともに、端部が台座４４５に接続された射出側偏光板４６０と、光束入射端面側に取付けられるとともに、端部が台座４４５に接続され、熱伝導性材料から構成され、かつ射出側偏光板４６０と液晶パネル４４１を離間配置させる間隔保持部材６００と、光束入射端面に対する液晶パネル４４１の位置調整を行うスペーサ７００とを備えている。【選択図】　図３
2004085943.tif 000002
【特許請求の範囲】
【請求項１】
複数の色光を色光毎に画像情報に応じて変調する複数の光変調装置と、各光変調装置と対向する複数の光束入射端面を有し、各光変調装置で変調された各色光を合成する色合成光学装置とを備える光学装置であって、
前記色合成光学装置の複数の光束入射端面と交差する端面の少なくともいずれか一方の端面に固定され、熱伝導性材料から構成される台座と、
前記光変調装置および光束入射端面の間に介在配置されるとともに、端部が台座に接続され、前記光変調装置から射出された色光の光学変換を行う光学変換膜が基板上に形成された光学変換素子と、
前記光束入射端面側に取付けられるとともに、端部が台座に接続され、熱伝導性材料から構成され、かつ前記光学変換素子と前記光変調装置を離間配置させる間隔保持部材と、
前記間隔保持部材および前記光変調装置の間に介在配置されるとともに、光束入射端面に対する前記光変調装置の位置調整を行い、熱伝導性材料から構成されるスペーサとを備えていることを特徴とする光学装置。
【請求項２】
請求項１に記載の光学装置において、
前記基板は、熱伝導率１０Ｗ／（ｍ・Ｋ）以上の部材からなることを特徴とする光学装置。
【請求項３】
請求項１または請求項２に記載の光学装置において、
前記間隔保持部材は、熱伝導率１０Ｗ／（ｍ・Ｋ）以上の部材からなることを特徴とする光学装置。
【請求項４】
請求項１から請求項３のいずれかに記載の光学装置において、
前記光変調装置は、一対の透明基板の間に電気光学材料が密閉封入された光変調装置本体と、
この光変調装置本体を収納する凹部を有し、前記光変調装置本体の画像形成領域に応じた開口部が形成され、熱伝導性材料から構成される保持枠と、
前記凹部を塞ぐとともに、前記光変調装置の画像形成領域に応じた開口部が形成された枠状部材とを備えていることを特徴とする光学装置。
【請求項５】
請求項４に記載の光学装置において、
前記光変調装置本体には、前記光束入射側および／または光束射出側に塵埃付着を防止する防塵ガラスが密着して貼り付けられ、
この防塵ガラスは、熱伝導性透明材料から構成されていることを特徴とする光学装置。
【請求項６】
請求項５に記載の光学装置において、
前記防塵ガラスは、サファイアまたは水晶からなることを特徴とする光学装置。
【請求項７】
請求項４から請求項６のいずれかに記載の光学装置において、
前記保持枠の開口部周縁の表面には、半田付け可能なメッキ層が形成されていることを特徴とする光学装置。
【請求項８】
請求項７に記載の光学装置において、
前記メッキ層は、無電解ニッケル−リン−メッキ層と、半田メッキ層とからなることを特徴とする光学装置。
【請求項９】
請求項１から請求項８のいずれかに記載の光学装置において、
前記スペーサは、熱伝導率１０Ｗ／（ｍ・Ｋ）以上の部材からなることを特徴とする光学装置。
【請求項１０】
請求項１から請求項９のいずれかに記載の光学装置において、
前記スペーサは、楔形状の、１つの部材または複数の部材からなり、前記保持枠の中央部周辺に配置されていることを特徴とする光学装置。
【請求項１１】
光源から射出された光束の光路上に配置される複数の光学部品と、内部に前記光束の照明光軸が設定され、前記複数の光学部品を収納して所定位置に配置する光学部品用筐体とを備えた光学ユニットであって、
前記請求項１から請求項１０のいずれかに記載の光学装置を備え、
前記光学部品用筐体は、少なくとも一部に熱伝導性材料からなる部分を有し、前記光学装置は、前記台座を介して、この光学部品用筐体の熱伝導性材料からなる部分と当接されていることを特徴とする光学ユニット。
【請求項１２】
請求項１から請求項１０のいずれかに記載の光学装置、または、請求項１１に記載の光学ユニットを備えて構成されることを特徴とするプロジェクタ。
【発明の詳細な説明】
【０００１】
【発明の属する技術分野】
本発明は、光学装置、この光学装置を備えた光学ユニットおよびプロジェクタに関する。
【０００２】
【背景技術】
従来、光源ランプから射出された光束を、ダイクロイックミラーを用いて三色の色光Ｒ、Ｇ、Ｂに分離する色分離光学系と、分離された光束を色光毎に画像情報に応じて変調する３枚の、例えば、液晶パネルのような光変調装置、および、各液晶パネルで変調された光束を合成するクロスダイクロイックプリズムのような色合成光学装置を有する光学装置と、を備える三板式のプロジェクタが知られている。
【０００３】
このような三板式のプロジェクタに用いられる光学装置としては、プリズムの光束入射端面に液晶パネルを楔状のスペーサやピンスペーサを介して接合固定したものが知られている。このような光学装置は、液晶パネルがプリズムに直接接合固定されているため、液晶パネルを単独で支持する構造を設ける必要がなく、プロジェクタの小型化に大きく寄与できるものである。
【０００４】
ここで、このような光学装置は、プリズムの光束入射端面と液晶パネルとの間に偏光膜、視野角補正膜等の光学変換膜が形成された基板を有する光学変換素子が介在配置され、液晶パネルおよび光学変換素子を効率的に冷却する必要がある。
このため、プリズムの複数の光束入射端面と交差する端面の少なくとも一方に金属等の熱伝導性材料からなる台座を接合し、光学変換素子および液晶パネルで発生した熱をこの台座で吸収して、台座を冷却することにより、光学変換素子や液晶パネルを効率的に冷却する構成が提案されている。
【０００５】
【発明が解決しようとする課題】
しかしながら、前述した構成は、台座上に光学変換素子を接合固定し、さらにその上にスペーサを介して液晶パネルを接合固定した構成であるため、光学変換素子または液晶パネルの過熱状態に差が生じると、一方から他方に熱が逆流し、両者を効率的に冷却することができないことがあるという問題がある。
また、光学変換素子上にスペーサを介して液晶パネル等の光変調装置を接合固定した構成では、プリズムの光束入射端面と液晶パネルの間の隙間を十分に確保できないため、冷却効率が悪くなるという問題がある。
【０００６】
本発明の目的は、光学変換素子および光変調装置両者を効率的に冷却することのできる光学装置、この光学装置を備えた光学ユニットおよびプロジェクタを提供することにある。
【０００７】
【課題を解決するための手段】
上記目的を達するために、本発明の光学装置は、複数の色光を色光毎に画像情報に応じて変調する複数の光変調装置と、各光変調装置と対向する複数の光束入射端面を有し、各光変調装置で変調された各色光を合成する色合成光学装置とを備える光学装置であって、前記色合成光学装置の複数の光束入射端面と交差する端面の少なくともいずれか一方の端面に固定され、熱伝導性材料から構成される台座と、前記光変調装置および光束入射端面の間に介在配置されるとともに、端部が台座に接続され、前記光変調装置から射出された色光の光学変換を行う光学変換膜が基板上に形成された光学変換素子と、前記光束入射端面側に取付けられるとともに、端部が台座に接続され、熱伝導性材料から構成され、かつ前記光学変換素子と前記光変調装置を離間配置させる間隔保持部材と、前記間隔保持部材および前記光変調装置の間に介在配置されるとともに、光束入射端面に対する前記光変調装置の位置調整を行い、熱伝導性材料から構成されるスペーサとを備えていることを特徴とする。
【０００８】
このような本発明によれば、間隔保持部材によって、光学変換素子および光変調装置の両者が離間配置されるためその間に冷却空気を流すことで効率的に光学変換素子および光変調装置の冷却をすることが可能となる。
また、間隔保持部材によって、光学変換素子および光変調装置の両者が接触することなく台座に接合されているため、両者の間で熱の逆流現象が生じることがなく、効率的に光学変換素子および光変調装置の冷却をすることが可能となる。
【０００９】
本発明の光学装置では、前記基板は、熱伝導率１０Ｗ／（ｍ・Ｋ）以上の部材からなることが好ましい。
ここで、前記基板が、熱伝導率１０Ｗ／（ｍ・Ｋ）未満の部材からなると、光学変換素子で発する熱が、台座まで十分に伝達しない場合がある。
【００１０】
本発明の光学装置では、前記間隔保持部材は、熱伝導率１０Ｗ／（ｍ・Ｋ）以上の部材からなることが好ましい。
ここで、前記間隔保持部材が、熱伝導率１０Ｗ／（ｍ・Ｋ）未満の部材からなると、光変調装置で発する熱が、台座にまで十分に伝達しない場合がある。
【００１１】
本発明の光学装置では、前記光変調装置は、一対の透明基板の間に電気光学材料が密閉封入された光変調装置本体と、この光変調装置本体を収納する凹部を有し、前記光変調装置本体の画像形成領域に応じた開口部が形成され、熱伝導性材料から構成される保持枠と、前記凹部を塞ぐとともに、前記光変調装置の画像形成領域に応じた開口部が形成された枠状部材とを備えていることが好ましい。
これによれば、保持枠は、熱伝導性材料から構成されているから、光変調装置で発する熱が、保持枠から、スペーサ、間隔保持部材を経て台座にまで達することができるので、効率的に光変調装置本体を冷却することができる。
【００１２】
本発明の光学装置では、前記光変調装置本体には、前記光束入射側および／または光束射出側に塵埃付着を防止する防塵ガラスが密着して貼り付けられ、この防塵ガラスは、熱伝導性透明材料から構成されていることが好ましい。
これによれば、防塵ガラスは、熱伝導性透明材料から構成されていることにより、光変調装置本体が発生する熱を、防塵ガラスを介して保持枠に逃がすことができるので、より効率的に光変調装置本体を冷却することができる。
【００１３】
本発明の光学装置では、前記防塵ガラスは、サファイアまたは水晶からなることが好ましい。
これによれば、前記防塵ガラスは、サファイアまたは水晶からなることにより、サファイアまたは水晶は、熱伝導率が高いので、光変調装置本体で発する熱を防塵ガラスからも台座に逃がすことができる。従って、光変調装置において熱を伝導する部分が大きくなるので、光変調装置をより一層効率的に冷却することができる。
【００１４】
本発明の光学装置では、前記保持枠の開口部周縁の表面には、半田付け可能なメッキ層が形成されていることが好ましい。
これによれば、前記保持枠の開口部周縁の表面には、半田付け可能なメッキ層が形成されていることにより、保持枠と防塵ガラスとの固着により、光変調装置本体で発生する熱が、防塵ガラスを介して保持枠に逃げることができるので、より一層光変調装置本体の冷却を効率的に行うことができる。
【００１５】
本発明の光学装置では、前記メッキ層は、無電解ニッケル−リン−メッキ層と、半田メッキ層とからなることが好ましい。
これによれば、無電解ニッケル−リン−メッキ層は、均一な膜厚で形成することができるので、例えば、保持枠等の複雑な形状のものでも剥離したりすることがない。従って、均一な膜厚を有するため、耐食性、耐摩耗性を向上させることができる。
【００１６】
本発明の光学装置では、前記スペーサは、熱伝導率１０Ｗ／（ｍ・Ｋ）以上の部材からなることが好ましい。
ここで、前記スペーサは、熱伝導率１０Ｗ／（ｍ・Ｋ）未満の部材からなると、光変調装置で発する熱が、台座にまで十分に伝達しない場合がある。
【００１７】
本発明の光学装置では、前記スペーサは、楔形状の、１つの部材または複数の部材からなり、前記保持枠の中央部周辺に配置されていることが好ましい。
これによれば、光変調装置本体で生ずる熱を保持枠の中央部周辺からスペーサを介して、逃がすことができるので、効率的に光変調装置本体を冷却することができる。
【００１８】
本発明の光学ユニットは、光源から射出された光束の光路上に配置される複数の光学部品と、内部に前記光束の照明光軸が設定され、前記複数の光学部品を収納して所定位置に配置する光学部品用筐体とを備えた光学ユニットであって、前述の光学装置を備え、前記光学部品用筐体は、少なくとも一部に熱伝導性材料からなる部分を有し、前記光学装置は、前記台座を介して、この光学部品用筐体の熱伝導性材料からなる部分と当接されていることを特徴とする。
【００１９】
これによれば、前記光学装置は、前記台座を介して、この光学部品用筐体の熱伝導性材料からなる部分と当接されていることにより、光学変換素子および光変調装置で発する熱を台座を介して、光学部品用筐体側に逃がすことができるから、効率的に、冷却することが可能になる。
【００２０】
本発明のプロジェクタは、前述の光学装置、または、前述の光学ユニットを備えて構成されることを特徴とする。
これによれば、前述と同様の作用・効果を得ることができる。
【００２１】
【発明の実施の形態】
〔１．本発明の第１実施形態〕
以下、本発明の第１実施形態に係るプロジェクタを図面を用いて説明する。
〔１−１．プロジェクタの主な構成〕
図１は、本発明の第１実施形態に係るプロジェクタ１の内部構造を模式的に示す平面図である。プロジェクタ１は、全体略直方体状で樹脂製の外装ケース２と、光源装置４１３から射出された光束を光学的に処理して画像情報に応じた光学像を形成する光学ユニット４と、プロジェクタ１内に発生する熱を外部へと放出する冷却ユニット５と、外部から供給された電力をこれらのユニット４、５等に供給する電源ユニット３とを備える。
【００２２】
外装ケース２は、各ユニット３〜５を収納するものであり、具体的な図示を省略するが、プロジェクタ１の上面部、前面部、および側面部を構成するアッパーケースと、プロジェクタ１の底面部、側面部、および背面部を構成するロアーケースとを備えて構成される。
【００２３】
図１に示すように、外装ケース２の前面には、切欠部２Ａが形成されている。外装ケース２に収納された光学ユニット４の一部は、この切欠部２Ａから外部側へ露出している。また、外装ケース２の前面において、切欠部２Ａの両側には、プロジェクタ１内の空気を排出するための排気口２Ｂ、２Ｃが形成されている。外装ケース２の底面において、光学ユニット４を構成する後述する光学装置４４に対応する部分には、外部から冷却空気を吸入するための図示しない吸気口が形成されている。
【００２４】
電源ユニット３は、図１に示すように、外装ケース２内における光学ユニット４の図１中右側に配置されている。この電源ユニット３は、具体的な図示を省略するが、インレットコネクタに差し込まれた電源ケーブルを介して供給された電力を、ランプ駆動回路（バラスト）や、ドライバーボード（図示略）等に供給するものである。
前記ランプ駆動回路は、供給された電力を光学ユニット４の光源ランプ４１１に供給するものである。前記ドライバーボードは、図示を省略するが、光学ユニット４の上方に配置され、入力された画像情報の演算処理を行った上で、後述する液晶パネル４４１Ｒ、４４１Ｇ、４４１Ｂの制御等を行うものである。
【００２５】
電源ユニット３および光学ユニット４は、アルミニウムまたはマグネシウム等の金属製のシールド板によって覆われている。また、前記ランプ駆動回路およびドライバーボードもアルミニウムまたはマグネシウム等の金属製のシールド板によって覆われている。これにより、電源ユニット３やドライバーボード等からの外部への電磁ノイズの漏れが防止されている。
【００２６】
冷却ユニット５は、プロジェクタ１内の流路に冷却空気を取り込んで、この取り込んだ冷却空気にプロジェクタ１内で発生した熱を吸収させ、この暖められた冷却空気を外部へと排出することにより、プロジェクタ１内を冷却するものである。この冷却ユニット５は、軸流吸気ファン５１と、シロッコファン５２と、軸流排気ファン５３とを備える。
【００２７】
軸流吸気ファン５１は、光学ユニット４の光学装置４４の下方で、かつ外装ケース２の前記吸気口の上方に配置されている。軸流吸気ファン５１は、この吸気口を介して、外部から冷却空気を光学ユニット４内に吸入し、光学装置４４を冷却する。
【００２８】
シロッコファン５２は、光学ユニット４の光源装置４１３の下方に配置されている。シロッコファン５２は、軸流吸気ファン５１によって吸入された光学ユニット４内の冷却空気を引き寄せ、この引き寄せる過程で光源装置４１３の熱を奪い、光学ユニット４の下方に配置されたダクト５２Ａを通って、排気口２Ｂから暖められた冷却空気を外部へ排出する。
【００２９】
軸流排気ファン５３は、外装ケース２の前面に形成された排気口２Ｃと電源ユニット３との間に配置されている。軸流排気ファン５３は、電源ユニット３によって暖められた電源ユニット３近傍の空気を吸入して、排気口２Ｃから外部へと排出する。
【００３０】
〔１−２．光学ユニットの構成〕
図２は、光学ユニット４を模式的に示す平面図である。
光学ユニット４は、図２に示すように、平面略Ｌ字状に形成され、光源ランプ４１１から射出された光束を光学的に処理して、画像情報に対応した光学画像を形成するユニットであり、インテグレータ照明光学系４１と、色分離光学系４２と、リレー光学系４３と、光学装置４４と、投写光学系としての投写レンズ４６とを備える。これら光学部品４１〜４４、４６は、光学部品用筐体としてのライトガイド４７内に収納され固定される。
【００３１】
インテグレータ照明光学系４１は、図２に示すように、光学装置４４を構成する３枚の液晶パネル４４１（赤、緑、青の色光毎にそれぞれ液晶パネル４４１Ｒ、４４１Ｇ、４４１Ｂと示す）の画像形成領域をほぼ均一に照明するための光学系であり、光源装置４１３と、第１レンズアレイ４１８と、第２レンズアレイ４１４と、偏光変換素子４１５と、重畳レンズ４１６とを備える。
【００３２】
光源装置４１３は、放射状の光線を射出する光源ランプ４１１と、この光源ランプ４１１から射出された放射光を反射する楕円面鏡４１２と、光源ランプ４１１から射出され楕円面鏡４１２により反射された光を平行光とする平行化凹レンズ４１３Ａとを備える。なお、平行化凹レンズ４１３Ａの平面部分には、図示しないＵＶフィルタが設けられている。また、光源ランプ４１１としては、ハロゲンランプやメタルハライドランプ、高圧水銀ランプが多用される。さらに、楕円面鏡４１２および平行化凹レンズ４１３Ａの代わりに、放物面鏡を用いてもよい。
【００３３】
第１レンズアレイ４１８は、光軸方向から見て略矩形状の輪郭を有する小レンズがマトリクス状に配列された構成を有する。各小レンズは、光源ランプ４１１から射出される光束を複数の部分光束に分割する。各小レンズの輪郭形状は、液晶パネル４４１の画像形成領域の形状とほぼ相似形をなすように設定されている。例えば、液晶パネル４４１の画像形成領域のアスペクト比（横と縦の寸法の比率）が４：３であるならば、各小レンズのアスペクト比も４：３に設定する。
【００３４】
第２レンズアレイ４１４は、第１レンズアレイ４１８と略同様な構成を有し、小レンズがマトリクス状に配列された構成を有する。この第２レンズアレイ４１４は、重畳レンズ４１６とともに、第１レンズアレイ４１８の各小レンズの像を液晶パネル４４１上に結像させる機能を有する。
【００３５】
偏光変換素子４１５は、第２レンズアレイ４１４と重畳レンズ４１６との間に配置されるとともに、第２レンズアレイ４１４と一体でユニット化されている。このような偏光変換素子４１５は、第２レンズアレイ４１４からの光を１種類の偏光光に変換するものであり、これにより、光学装置４４での光の利用効率が高められている。また、図２中の二点鎖線４１０で示すように、ユニット化された偏光変換素子４１５および第２レンズアレイ４１４と、第１レンズアレイ４１８とは、一体的にユニット化されている。
【００３６】
具体的に、偏光変換素子４１５によって１種類の偏光光に変換された各部分光は、重畳レンズ４１６によって最終的に光学装置４４の液晶パネル４４１Ｒ、４４１Ｇ、４４１Ｂ上にほぼ重畳される。偏光光を変調するタイプの液晶パネル４４１を用いたプロジェクタ１（光学装置４４）では、１種類の偏光光しか利用できないため、他種類のランダムな偏光光を発する光源ランプ４１１からの光のほぼ半分が利用されない。そこで、偏光変換素子４１５を用いることにより、光源ランプ４１１からの射出光を全て１種類の偏光光に変換し、光学装置４４での光の利用効率を高めている。なお、このような偏光変換素子４１５は、例えば特開平８−３０４７３９号公報に紹介されている。
【００３７】
色分離光学系４２は、２枚のダイクロイックミラー４２１、４２２と、反射ミラー４２３、４２４とを備え、ダイクロイックミラー４２１、４２２によりインテグレータ照明光学系４１から射出された複数の部分光束を赤、緑、青の３色の色光に分離する機能を有する。
【００３８】
リレー光学系４３は、入射側レンズ４３１、リレーレンズ４３３、および反射ミラー４３２、４３４を備え、色分離光学系４２で分離された色光（赤色光）を液晶パネル４４１Ｒまで導く機能を有する。
【００３９】
このような光学系４において、色分離光学系４２のダイクロイックミラー４２１では、インテグレータ照明光学系４１から射出された光束の青色光成分が透過するとともに、赤色光成分と緑色光成分とが反射する。このダイクロイックミラー４２１によって透過した青色光成分は、反射ミラー４２３で反射し、フィールドレンズ４１７を通って青色用の液晶パネル４４１Ｂに達する。このフィールドレンズ４１７は、第２レンズアレイ４１４から射出された各部分光束をその中心軸（主光線）に対して平行な光束に変換する。他の液晶パネル４４１Ｒ、４４１Ｇの光入射側に設けられたフィールドレンズ４１７も同様である。
【００４０】
ダイクロイックミラー４２１で反射された赤色光と緑色光のうちで、緑色光はダイクロイックミラー４２２によって反射し、フィールドレンズ４１７を通って緑色用の液晶パネル４４１Ｇに達する。一方、赤色光はダイクロイックミラー４２２を透過してリレー光学系４３を通り、さらにフィールドレンズ４１７を通って赤色光用の液晶パネル４４１Ｒに達する。
【００４１】
なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１７に伝えるためである。なお、リレー光学系４３には、３つの色光のうちの赤色光を通す構成としたが、青色光等のその他の色光を通す構成としてもよい。
【００４２】
光学装置４４は、入射された光束を画像情報に応じて変調しカラー画像を形成するものであり、色分離光学系４２から射出された光束が入射され、いわゆる偏光子となる入射側偏光板４４４と、各入射側偏光板４４４の光路後段に配置される光変調装置としての３枚の液晶パネル４４１Ｒ、４４１Ｇ、４４１Ｂと、各液晶パネル４４１Ｒ、４４１Ｇ、４４１Ｂの光路後段に配置され、いわゆる検光子となる射出側偏光板４６０と、クロスダイクロイックプリズム４４３とを備える。光学部品４４１、４４３、４６０は一体的に形成されて光学装置本体４８を構成する。なお、光学装置本体４８の詳細については後述する。
【００４３】
入射側偏光板４４４は、光学装置本体４８とは別体として構成されている。この入射側偏光板４４４は、色分離光学系４２で分離された各光束のうち、一定方向の偏光光のみ透過させ、その他の方向の光束を吸収するものである。なお、入射側偏光板４４４と射出側偏光板４６０との偏光軸の方向は、互いに直交するように設定されている。
【００４４】
以上説明した各光学部品４１〜４４は、光学部品用筐体としての熱伝導性材料からなるライトガイド４７内に収容されている。
ライトガイド４７は、図示を省略するが、前述した各光学部品４１４〜４１８、４２１〜４２３、４３１〜４３４、４４４（図２）を上方からスライド式に嵌め込む溝部がそれぞれ設けられた下ライトガイドと、この下ライトガイドの上部の開口側を閉塞する蓋状の上ライトガイドとを備える。また、平面略Ｌ字状のライトガイド４７の一端側には、光源装置４１３が収容され、他端側にはヘッド部４９を介して投写レンズ４６が固定されている。
【００４５】
〔１−３．光学装置を構成する光学装置本体の構成〕
図３は、光学装置４４を構成する光学装置本体４８を示す分解斜視図である。図４は、光学装置本体４８を示す斜視図である。なお、図３には、３つの液晶パネル４４１Ｒ、４４１Ｇ、４４１Ｂ側のうち、液晶パネル４４１Ｇ側のみを代表して分解して図示し、他の液晶パネル４４１Ｒ、４４１Ｂの分解の図示を省略する。
【００４６】
光学装置本体４８は、図３に示すように、クロスダイクロイックプリズム４４３と、台座４４５と、射出側偏光板４６０と、間隔保持部材６００、６００と、スペーサ７００、７００と、液晶パネル４４１Ｇ（４４１）とを備えている。
【００４７】
クロスダイクロイックプリズム４４３は、３枚の液晶パネル４４１Ｒ、４４１Ｇ、４４１Ｂから射出され各色光毎に変調された画像を合成してカラー画像を形成するものであり、外観略立方体状の六面体である。クロスダイクロイックプリズム４４３には、赤色光を反射する誘電体多層膜と青色光を反射する誘電体多層膜とが、４つの直角プリズムの界面に沿って略Ｘ字状に形成され、これらの誘電体多層膜によって３つの色光が合成される。このクロスダイクロイックプリズム４４３で合成されたカラー画像は、投写レンズ４６から射出され、スクリーン上に拡大投写される。
【００４８】
このクロスダイクロイックプリズム４４３の複数の光束入射端面と交差する端面である上下面には、台座４４５が固定されている。この台座４４５は、熱伝導性材料から構成され、クロスダイクロイックプリズム４４３の上面に固定される上側台座４４６と、クロスダイクロイックプリズム４４３の下面に固定される下側台座４４７とを備える。なお、光学装置４４は、この台座４４５を介して、ライトガイド４７に当接して固定されている。
【００４９】
上側台座４４６は、クロスダイクロイックプリズム４４３の上面と略同じ外形寸法を有し、４２合金（ヤマハメタニクス（株）製、　成分　Ｎｉ　４２ｗｔ％、Ｆｅ　５８ｗｔ％、以下同様）からなる。
上側台座４４６は、クロスダイクロイックプリズム４４３の上面に固定される略矩形板状の台座本体４４８と、台座本体４４８の４辺の端縁よりそれぞれ上方垂直に立設されたリブ４４９、４４９、４５０、４５０とを備え、これらは、一体的に形成されている。
【００５０】
また、台座本体４４８の中央部付近には、略円形状にくりぬかれたか、またはめくら孔状態の位置決め孔４４８Ａが２箇所形成されている。これは、台座本体４４８がクロスダイクロイックプリズム４４３とを接着固定するときの治具（図示省略）への位置決めとして利用される。さらに、台座本体４４８のリブ４５０の端縁部分には、スリット４４８Ｂがそれぞれ形成されている。
リブ４４９は、台座本体４４８の対向する２辺に設けられている。２つのリブ４４９は、液晶パネル４４１Ｇが固定される光束入射端面側および、それと対向する端面側にそれぞれ設けられているものである。
【００５１】
リブ４４９には、その幅方向の略中央部分に、スリット４４９Ａが１箇所形成されている。スリット４４９Ａは、リブ４４９の上側の端面から高さ方向の略半分ほどの高さにまで達するように形成されている。
また、リブ４４９には、その外縁側にスリット４４９Ａを中心として対称の位置にスリット４４９Ｂが１箇所ずつ、計２箇所形成されている。スリット４４９Ｂは、リブ４４９から台座本体４４８まで跨るように断面視Ｌ字形に形成されている。スリット４４９Ｂは、リブ４４９の高さ方向の略半分ほどの高さから台座本体４４８まで形成されている。このスリット４４９Ｂのリブ４４９および台座本体４４８におけるスリットの形成されている部分の長さは、略同じである。
リブ４４９は、光束入射端面の幅と略同じ幅に形成されている。
【００５２】
一方、リブ４５０は、リブ４４９が設けられた台座本体４４８の２辺に対して直交する２辺に設けられている。２つのリブ４５０は、液晶パネル４４１Ｒおよび液晶パネル４４１Ｂが固定される光束入射端面側にそれぞれ設けられているものである。
【００５３】
同様にして、リブ４５０には、その幅方向の略中央部分に、スリット４５０Ａが１箇所形成されている。スリット４５０Ａは、リブ４５０の上側の端面から高さ方向の略半分ほどの高さにまで達するように形成されている。
また、リブ４５０には、その外縁側にスリット４５０Ａを中心として対称の位置にスリット４５０Ｂが１箇所ずつ、計２箇所形成されている。スリット４５０Ｂは、リブ４５０から台座本体４４８まで跨るように断面視Ｌ字形に形成されている。スリット４５０Ｂは、リブ４５０の高さ方向の略半分ほどの高さから台座本体４４８まで形成されている。このスリット４５０Ｂのリブ４５０および台座本体４４８におけるスリットの形成されている部分の長さは、略同じである。リブ４５０は、光束入射端面の幅よりも短く形成されている。
【００５４】
下側台座４４７は、上側台座４４６と略同じ構成であって、クロスダイクロイックプリズム４４３の下面と略同じ外形寸法を有し、４２合金（ヤマハメタニクス（株）製）からなる。
下側台座４４７と上側台座４４６とは、下側台座４４７には、ライトガイド４７へ固定するための３箇所の取付部４５５が形成されているのに対し、上側台座４４６の台座本体４４８には、形成されていない点も異なる。
【００５５】
具体的には、この取付部４５５は、箱状の本体４５４から延出されているものである。本体４５４は、台座本体４４８と略同じ外径寸法を有し、熱伝導性材料から構成され、本実施形態では、４２合金（ヤマハメタニクス（株）製）である。
本体４５４に対して、腕状の取付部４５５は、下側台座４４７の液晶パネル４４１Ｇが固定される光束入射端面側と対向する端面側のリブ４４９側の１辺の略中央に１つ設けられ、かつこの１辺に対向する液晶パネル４４１Ｇが固定される光束入射端面側のリブ４４９側の辺の角隅部にそれぞれ１つずつ設けられている。
取付部４５５には、中心に取付孔４５５Ａが形成されている。すなわち光学装置４４は、以上の下側台座４４７の取付部４５５を介して、ライトガイド４７（図１）に当接して固定されている。
【００５６】
射出側偏光板４６０は、液晶パネル４４１Ｇ（４４１）および光束入射端面の間に介在配置されるとともに、端部が台座４４５に接続され、液晶パネル４４１から射出された色光の偏光を行う偏光膜４６１Ａが基板４６１上に形成されたものである。
基板４６１は、熱伝導率１０Ｗ／（ｍ・Ｋ）以上の部材からなればよく、本実施形態では、サファイアガラス製の矩形の板材である。このため、この基板４６１は、その熱伝導率が約４０Ｗ／（ｍ・Ｋ）と高いうえに、その硬度も非常に高く、傷がつきにくく透明度が高いものである。ここで、基板４６１が、熱伝導率１０Ｗ／（ｍ・Ｋ）未満の部材からなると、射出側偏光板４６０で発する熱が、台座４４５まで十分に伝達しない場合がある。
また、射出側偏光板４６０の基板４６１の図示上下方向の端部は、それぞれ、上側台座４４６および下側台座４４７のリブ４４９と、半田付けや熱伝導性を有する接着剤等により接続されている。
【００５７】
偏光膜４６１Ａは、基板４６１上の図示上下方向の中間部分に、基板４６１の図示左右方向の幅と略同じ幅で、略正方形状に形成され、ポリビニルアルコール（ＰＶＡ）にヨウ素を吸着・分散させてフィルム状とした後に、このフィルム状のものを一定方向に延伸し、その後、延伸されたフィルムの両面にアセテートセルロース系のフィルムを接着剤で積層することにより構成されたものである。
【００５８】
間隔保持部材６００は、光束入射端面側でかつ、射出側偏光板４６０の図示左右方向の両隣に取付けられるとともに、端部が台座４４５に接続され、熱伝導性材料から構成され、かつ射出側偏光板４６０と液晶パネル４４１を離間配置させる断面略正方形状の四角柱の部材である。
間隔保持部材６００の断面略正方形状の１辺の長さは、射出側偏光板４６０の基板４６１の厚さよりも長く、本実施形態では、射出側偏光板４６０の基板４６１の厚さの略３倍程度とされている。
【００５９】
また、間隔保持部材６００の断面略正方形状の１辺の長さは、この間隔保持部材６００の図示内側の端縁が、スリット４４８Ｂの外側の端縁に対応し、間隔保持部材６００の図示外側の端縁が、光束入射端面同士の交差する辺と対応する１辺の長さである。
【００６０】
また、この間隔保持部材６００の図示上下方向の長さは、上側台座４４６および下側台座４４７のリブ４４９の高さと、クロスダイクロイックプリズム４４３の光束入射端面の図示上下方向の高さとの合計したものと略等しい。
さらに、間隔保持部材６００は、熱伝導率１０Ｗ／（ｍ・Ｋ）以上の部材からなればよく、本実施形態では、４２合金（ヤマハメタニクス（株）製）である。ここで、間隔保持部材６００が、熱伝導率１０Ｗ／（ｍ・Ｋ）未満の部材からなると、液晶パネル４４１Ｇで発する熱が、台座４４５にまで十分に伝達しない場合がある。
【００６１】
間隔保持部材６００の図示上下方向の端部は、それぞれ、上側台座４４６および下側台座４４７のリブ４４９と、半田付けや熱伝導性を有する接着剤等により接続されている。
【００６２】
スペーサ７００は、間隔保持部材６００および液晶パネル４４１Ｇ（４４１）の間に介在配置され、光束入射端面に対する液晶パネル４４１Ｇ（４４１）の位置調整を行う。また、スペーサ７００は、熱伝導性材料から構成され、楔形状の、１つの部材からなり、後述する液晶パネル４４１Ｇの保持枠７２０の中央部周辺に配置されている。
【００６３】
ここで、スペーサ７００を構成する部材としては、熱伝導率１０Ｗ／（ｍ・Ｋ）以上の部材からなればよく、本実施形態では、サファイアからなるものである。このスペーサ７００は、熱伝導率１０Ｗ／（ｍ・Ｋ）未満の部材からなると、液晶パネル４４１Ｇで発する熱が、台座４４５にまで十分に伝達しない場合がある。
楔形状のスペーサ７００の斜面側が、保持枠７２０に当接し、その対向する面が、間隔保持部材６００と当接して接着される。この接着には、熱伝導性のある紫外線硬化型接着剤等が用いられ、この接着剤に紫外線を照射することにより、接着固定される。
【００６４】
図５は、液晶パネル４４１Ｇを示す分解斜視図である。図６は、液晶パネル４４１Ｇを示す断面図である。
光変調装置である液晶パネル４４１Ｇは、図５、図６に示されるように、光変調装置本体としての液晶パネル本体７１０と、保持枠７２０と、枠体７３０と、枠状部材７４０とを備えている。
【００６５】
液晶パネル本体７１０は、ガラスなどからなる一対の透明基板７１１Ａ、７１１Ｂを備える。一対の透明基板７１１Ａ、７１１Ｂは、シール材（図示省略）を介して所定間隔を空けて貼り合わせられている。
透明基板７１１Ａの内側には、ＴＦＴ素子などのスイッチング素子、ＩＴＯ（Ｉｎｄｉｕｍ　Ｔｉｎ　Ｏｘｉｄｅ）などの透明導電体からなる画素電極、配線、配向膜などが形成されている。また、透明基板７１１Ｂの内側面には、前記画素電極に対応する対向電極、配向膜などが形成されている。これにより、アクティブマトリクス型の液晶パネルが構成されている。
【００６６】
この液晶パネル本体７１０には、光束入射側および光束射出側に塵埃付着を防止する防塵ガラス７１２Ａ、７１２Ｂがそれぞれ密着して貼り付けられている。具体的には、防塵ガラス７１２Ａ、７１２Ｂは、一対の透明基板７１１Ａ、７１１Ｂの基板外面（光束入射側および光束射出側）に貼り付けられている。これら防塵ガラス７１２Ａ、７１２Ｂは、サファイアから構成されている。この防塵ガラス７１２Ａ、７１２Ｂは、基板外面を被覆して塵埃の付着を防止するものである。このような防塵ガラス７１２Ａ、７１２Ｂの外面に塵埃が付着しても、フォーカス状態とならないため、投写画像上の表示陰となることはない。
【００６７】
透明基板７１１Ａに貼り付けられる防塵ガラス７１２Ａの外径寸法は、透明基板７１１Ａの外径寸法よりも小さくなっている。また、透明基板７１１Ｂに貼り付けられる防塵ガラス７１２Ｂは、後述する保持枠７２０の凹部７２１に当接している。
【００６８】
保持枠７２０は、枠体７３０および液晶パネル本体７１０を収納保持する凹部７２１を有し、液晶パネル本体７１０の画像形成領域に応じた矩形状の開口部７２０Ａが形成されている。さらに、保持枠７２０の側面略中央部には、枠状部材７４０と係合するためのフック係合部７２０Ｂが１つづつ形成されている。
【００６９】
枠体７３０は、熱伝導性材料から構成されており、透明基板７１１Ａの外周縁に設けられている。熱伝導性材料としては、例えば、マグネシウム、アルミニウム、チタンまたは熱伝導性樹脂等があげられる。枠体７３０の内周側部分には、透明基板７１１Ａの外周縁部が嵌め込まれる切欠部７３１が形成されており、枠体７３０は、断面Ｌ字形形状となっている。従って、枠体７３０は、透明基板７１１Ａの光束射出側端面及び側面に当接することとなる。
また、枠体７３０の光束射出側の端面は、防塵ガラス７１２Ａの光束射出側端面よりもわずかに光束射出側に突出している。さらに、この枠体７３０と防塵ガラス７１２Ａとの間には、わずかな隙間が形成されており、この隙間には熱伝導性の接着剤が充填されている。
【００７０】
枠状部材７４０は、熱伝導性材料から構成され、本実施形態では、４２合金（ヤマハメタニクス（株）製）である。枠状部材７４０は、保持枠７２０の凹部７２１を塞ぐとともに、保持枠７２０に収納された枠体７３０および液晶パネル本体７１０を光束射出側から押圧固定する。また、枠状部材７４０にも透明基板７１１Ａ、７１１Ｂの画像形成領域に対応した矩形状の開口部７４０Ａが形成されており、枠状部材７４０の側面略中央部には、フック係合部７２０Ｂに対応したフック７４０Ｂが１つづつ形成されている。
【００７１】
〔１−４．冷却構造〕
次に、プロジェクタ１に設けられた空冷式の冷却機構の構成について説明する。プロジェクタ１は、図１に示すように、主に光学装置４４（図２）を冷却する光学装置冷却系Ａと、主に光源装置４１３を冷却する光源冷却系Ｂと、主に電源ユニット３を冷却する電源冷却系Ｃとを備える。
【００７２】
光学装置冷却系Ａは、外装ケース２の下面に形成される図示しない吸気口と、この吸気口の上方に配置される軸流吸気ファン５１と、ライトガイド４７の底面において軸流吸気ファン５１の上方に形成される開口部４Ｂと、この開口部４Ｂの上方に配置される光学装置４４における導風部Ｘ（図４）とを備える。
【００７３】
プロジェクタ１の外部の新鮮な冷却空気は、軸流吸気ファン５１により、外装ケース２の吸気口から吸入され、開口部４Ｂを介して、ライトガイド４７内に入り込む。この際、図示を省略するが、ライトガイド４７の下面には、整流板が設けられており、これにより、ライトガイド４７外部の冷却空気は、下から上へと流れるように整流されている。
【００７４】
図４の矢印で示すように、ライトガイド４７内に導かれた冷却空気は、整流された結果、光学装置４４の下方から上方へと流れ、導風部Ｘおよび液晶パネル４４１Ｇの裏面側を通り、台座４４５、射出側偏光板４６０、液晶パネル４４１Ｇ、さらに、入射側偏光板４４４等を冷却しながら、光学装置本体４８の上方へと流れる。
【００７５】
また、光学装置冷却系Ａにおいて、循環する冷却空気は、光学装置４４を冷却する機能に加えて、液晶パネル４４１Ｒ、４４１Ｇ、４４１Ｂの表面等に付着した塵埃を吹き飛ばす機能も有する。このため、液晶パネル４４１Ｒ、４４１Ｇ、４４１Ｂの表面が常に清浄な状態となり、安定した画質を確保できる。
【００７６】
光源冷却系Ｂは、図１に示すように、シロッコファン５２と、ダクト５２Ａと、排気口２Ｂとを備える。この光源冷却系Ｂにおいて、光学装置冷却系Ａを通過した冷却空気は、シロッコファン５２によって吸引され、光源装置４１３内に入り込んで光源ランプ４１１を冷却した後に、ライトガイド４７から出てダクト５２Ａを通り、排気口２Ｂから外部へと排出される。
【００７７】
電源冷却系Ｃは、電源ユニット３の近傍に設けられた軸流排気ファン５３と、排気口２Ｃとを備える。この電源冷却系Ｃにおいて、電源ユニット３による熱によって温められた空気は、軸流排気ファン５３によって吸引され、排気口２Ｃから排出される。この際、プロジェクタ１内全体の空気も同時に排出しており、プロジェクタ１内に熱がこもらないようになっている。
【００７８】
〔１−５．第１実施形態の効果〕
上記の第１実施形態によれば、以下のような効果がある。
（１）間隔保持部材６００によって、射出側偏光板４６０および液晶パネル４４１Ｇ（４４１）の両者が離間配置されるため、その間に冷却空気を流すことで効率的に射出側偏光板４６０および液晶パネル４４１Ｇ（４４１）の冷却をすることが可能となる。また、間隔保持部材６００によって、射出側偏光板４６０および液晶パネル４４１Ｇ（４４１）の両者が接触することなく台座４４５に接合されているため、両者の間で熱の逆流現象が生じることがなく、効率的に射出側偏光板４６０および液晶パネル４４１Ｇ（４４１）の冷却をすることが可能となる。
【００７９】
（２）保持枠７２０は、熱伝導性材料から構成されているから、液晶パネル本体７１０で発する熱が、保持枠７２０から、スペーサ７００、間隔保持部材６００を経て台座４４５にまで達することができるので、効率的に光変調装置本体を冷却することができる。即ち、間隔保持部材６００がヒートシンク機能を果たすことが可能となり、保持枠７２０の放熱面積が増加したことと等価である。
【００８０】
（３）防塵ガラス７１２Ａ、７１２Ｂは、サファイアからなることにより、サファイアは、熱伝導率が高いので、液晶パネル本体７１０で発する熱を防塵ガラス７１２Ａ、７１２Ｂからも台座４４５に逃がすことができる。従って、液晶パネル４４１Ｇ（４４１）において熱を伝導する部分が大きくなるので、液晶パネル４４１Ｇ（４４１）をより一層効率的に冷却することができる。
【００８１】
（４）液晶パネル本体７１０で生ずる熱を保持枠７２０の中央部周辺からスペーサ７００を介して、逃がすことができるので、効率的に液晶パネル本体７１０を冷却することができる。
【００８２】
（５）ライトガイド４７は、熱伝導性材料から構成され、光学装置４４は、台座４４５を介して、このライトガイド４７に当接して固定されていることにより、射出側偏光板４６０および液晶パネル４４１Ｇ（４４１）で発する熱を台座４４５を介して、ライトガイド４７側に逃がすことができるから、効率的に、冷却することが可能になる。
【００８３】
〔２．本発明の第２実施形態〕
次に、本発明の第２実施形態に係るプロジェクタを図面を用いて説明する。第２実施形態に係るプロジェクタは、前記第１実施形態のプロジェクタ１とは、光学装置本体４８の一部である液晶パネル部分の構成のみが相違している。このため、前記第１実施形態と同一または相当構成品には同じ符号を付し、説明を省略または簡略する。
【００８４】
〔２−１．主な構成〕
第１実施形態の液晶パネル４４１Ｇ（４４１）は、図５に示されるように、枠体７３０を備えていた。
これに対して、第２実施形態の液晶パネル４４１Ｇ（４４１）は、図７に示されるように、枠体７３０を備えていない。
【００８５】
また、第１実施形態の液晶パネル４４１Ｇ（４４１）では、図５に示されるように、保持枠７２０に、フック係合部７２０Ｂ、枠状部材７４０にフック７４０Ｂが１つずつ形成されていた。
これに対して、第２実施形態の液晶パネル４４１Ｇ（４４１）は、図７に示されるように、保持枠７２０に、フック係合部７２０Ｂ、枠状部材７４０にフック７４０Ｂが２つずつ形成されている。さらに、枠状部材７４０には、フック７４０Ｂの間に、矩形状のスペーサ係合部７４０Ｃが形成されている。
【００８６】
さらに、第１実施形態の液晶パネル４４１Ｇ（４４１）では、図５に示されるように、保持枠７２０の側面にフック係合部７２０Ｂが形成されていただけであった。
これに対して、第２実施形態の液晶パネル４４１Ｇ（４４１）は、図７に示されるように、保持枠７２０の側面のフック係合部７２０Ｂの間に、スペーサ７００固定のための矩形状の側面固定部７２０Ｃが形成されている。
【００８７】
そして、第１実施形態の液晶パネル４４１Ｇ（４４１）では、図６に示されるように、枠状部材７４０は、枠体７３０および液晶パネル本体７１０を光束射出側から押圧固定していた。
これに対して、第２実施形態の液晶パネル４４１Ｇ（４４１）では、図８に示されるように、保持枠７２０の凹部７２１側の開口部７２０Ａ周縁の表面に、半田付け可能なメッキ層７２１Ａが形成されている。このメッキ層７２１Ａは、無電解ニッケル−リン−メッキ層と、半田メッキ層とから構成されている。従って、液晶パネル本体７１０と保持枠７２０とは、メッキ層７２１Ａと、防塵ガラス７１２Ｂとが当接し、半田付けにより固着されている。
【００８８】
以上より、第２実施形態では、間隔保持部材６００およびスペーサ７００と、液晶パネル４４１Ｇ（４４１）との配置の関係も第１実施形態と異なっている。この第２実施形態では、図８に示されるように、スペーサ７００は、スペーサ係合部７４０Ｃに挿入され、側面固定部７２０Ｃと接着されている。スペーサ７００は、間隔保持部材６００にも当接し、接着されている。
【００８９】
〔２−２．第２実施形態の効果〕
上記の第２実施形態によれば、第１実施形態の効果に加えて、以下のような効果がある。
（６）メッキ層７２１Ａは、無電解ニッケル−リン−メッキ層を備えて構成され、この無電解ニッケル−リン−メッキ層は、均一な膜厚で形成することができるので、複雑な形状のものでも剥離したりすることがない。従って、均一な膜厚を有するため、耐食性、耐摩耗性を向上させることができる。
【００９０】
（７）保持枠７２０と防塵ガラス７１２Ｂとは、メッキ層７２１Ａを介しての固着されていることにより、液晶パネル本体７１０で発生する熱が、防塵ガラス７１２Ｂを介して保持枠７２０に逃げることができるので、より一層液晶パネル本体７１０の冷却を効率的に行うことができる。
【００９１】
（８）液晶パネル本体７１０の小型化に伴い、枠状部材７４０も小型化する。そこで、枠状部材７４０の長手方向にフック係合部７２０を設けることにより、枠状部材７４０の弾性力の増加を抑え、液晶パネル本体７１０の押圧力を抑制できる。従って、液晶パネル本体７１０の液晶封入部のギャップ変動を少なくしながら、かつ、前述の熱伝導の機能も有することができる。
【００９２】
〔３．実施形態の変形〕
なお、本発明は前記各実施形態に限定されるものではなく、本発明の目的を達成できる他の構成等を含み、以下に示すような変形等も本発明に含まれる。
例えば、前記各実施形態において、台座４４５は、４２合金（ヤマハメタニクス（株）製）からなるものであったが、これに限られず、アルミニウム、マグネシウム、銅または鉄の合金製の部材からなるものであってもよい。
【００９３】
前記各実施形態において、基板４６１は、サファイアからなるものであったが、これに限られず、水晶や石英ガラス等としてもよい。
前記各実施形態において、間隔保持部材６００は、４２合金（ヤマハメタニクス（株）製）からなるものであったが、これに限られず、アルミニウム、マグネシウム、銅または鉄の合金等、水晶、サファイア等の無機系の材料や、カーボンファイバー、ナノチューブ等を添加した樹脂系材料としてもよい。
【００９４】
前記各実施形態において、スペーサ７００は、サファイアからなるものであったが、これに限られず、アルミニウム、マグネシウム、銅または鉄の合金、４２合金（ヤマハメタニクス（株）製）や、サファイア、水晶または石英ガラス等の表面にメッキ層が形成されているものを採用してもよい。このメッキ層は、例えば、無電解ニッケル−リン−メッキ層と、半田メッキ層とから構成されているものが挙げられる。
前記各実施形態において、保持枠７２０は、４２合金（ヤマハメタニクス（株）製）からなるものであったが、これに限られず、アルミニウム、マグネシウム、銅または鉄の合金製の部材からなるものであってもよい。
【００９５】
前記各実施形態において、枠状部材７４０は、４２合金（ヤマハメタニクス（株）製）からなるものであったが、これに限られず、アルミニウム、マグネシウム、銅または鉄の合金製の部材からなるものであってもよい。
前記各実施形態において、防塵ガラス７１２Ａ、７１２Ｂは、サファイアからなるものであったが、これに限られず、水晶や石英ガラス等としてもよい。
前記各実施形態において、スペーサ７００は、１つの部材からなるものであったが、これに限られず、２つ以上の部材からなるものでもよい。
【００９６】
【発明の効果】
本発明によれば、光学変換素子および光変調装置両者を効率的に冷却することのできる光学装置、この光学装置を備えた光学ユニットおよびプロジェクタを提供することができるという効果がある。
【図面の簡単な説明】
【図１】本発明の第１実施形態に係るプロジェクタの内部構造を模式的に示す平面図である。
【図２】第１実施形態の光学ユニットを模式的に示す平面図である。
【図３】第１実施形態の光学装置本体を示す分解斜視図である。
【図４】第１実施形態の光学装置本体を示す斜視図である。
【図５】第１実施形態の液晶パネルを示す分解斜視図である。
【図６】第１実施形態の液晶パネルを示す断面図である。
【図７】本発明の第２実施形態に係る液晶パネルを示す分解斜視図である。
【図８】第２実施形態の液晶パネル等を示す断面図である。
【符号の説明】
１　　　プロジェクタ
４　　　光学ユニット
４４　　　光学装置
４７　　　ライトガイド
４４１　　　液晶パネル
４４１Ｂ　　　液晶パネル
４４１Ｇ　　　液晶パネル
４４１Ｒ　　　液晶パネル
４４３　　　クロスダイクロイックプリズム
４４５　　　台座
４６０　　　射出側偏光板
４６１　　　基板
４６１Ａ　　　偏光膜
６００　　　間隔保持部材
７００　　　スペーサ
７１０　　　液晶パネル本体
７１１Ａ、７１１Ｂ　　　透明基板
７１２Ａ、７１２Ｂ　　　防塵ガラス
７２０　　　保持枠
７２０Ａ　　　開口部
７２１　　　凹部
７２１Ａ　　　メッキ層
７４０　　　枠状部材
７４０Ａ　　　開口部
【図１】
2004085943.tif 000003
【図２】
2004085943.tif 000004
【図３】
2004085943.tif 000005
【図４】
2004085943.tif 000006
【図５】
2004085943.tif 000007
【図６】
2004085943.tif 000008
【図７】
2004085943.tif 000009
【図８】
2004085943.tif 000010